(57)【特許請求の範囲】
【請求項１】
減速機と、前記減速機の潤滑油の劣化を検出するための潤滑油劣化センサーとを備えている機械の前記減速機の破損の状態を通知するための減速機破損状態通知装置であって、
前記機械は、前記潤滑油を収納することが可能な空間である油収納空間が形成されており、
前記減速機は、前記油収納空間の一部である減速機内油収納空間が形成されており、
前記潤滑油劣化センサーは、光を発する発光素子と、受けた光の色を検出するカラー受光素子と、前記潤滑油が侵入するための隙間であって前記発光素子から前記カラー受光素子までの光路上に配置されている油用隙間が形成されていて光を透過させる隙間形成部材とを備えており、
前記減速機破損状態通知装置は、前記減速機の破損の状態を通知する破損状態通知手段と、前記破損状態通知手段による通知のための閾値を設定する閾値設定手段と、前記減速機内油収納空間の容積に対する前記潤滑油の量である油封入比率の入力を受け付ける油封入比率受付手段とを備えており、
前記破損状態通知手段は、前記カラー受光素子によって検出された色と所定の色との色差が前記閾値設定手段によって設定された前記閾値に達した場合に、この閾値に対応する前記減速機の破損の状態を通知し、
前記閾値設定手段は、前記油封入比率受付手段によって入力が受け付けられた前記油封入比率に応じた前記閾値を設定することを特徴とする減速機破損状態通知装置。
【請求項２】
前記減速機の型式に対応する前記減速機内油収納空間の容積を記憶する型式容積対応記憶部を備えており、
前記油封入比率受付手段は、前記減速機の型式の入力を受け付ける減速機型式受付手段と、前記潤滑油の量の入力を受け付ける潤滑油量受付手段とを備えており、
前記油封入比率受付手段は、前記減速機型式受付手段によって入力が受け付けられた前記減速機の型式に対応して前記型式容積対応記憶部に記憶されている前記減速機内油収納空間の容積と、前記潤滑油量受付手段によって入力が受け付けられた前記潤滑油の量とに基づいて前記油封入比率を算出することによって、間接的に前記油封入比率の入力を受け付け、
前記閾値設定手段は、前記減速機型式受付手段によって入力が受け付けられた前記減速機の型式に更に応じた前記閾値を設定することを特徴とする請求項１に記載の減速機破損状態通知装置。
【請求項３】
前記油収納空間の容積の入力を受け付ける油収納空間受付手段を備えており、
前記閾値設定手段は、前記油収納空間受付手段によって入力が受け付けられた前記油収納空間の容積に更に応じた前記閾値を設定することを特徴とする請求項１または請求項２に記載の減速機破損状態通知装置。
【請求項４】
前記減速機破損状態通知装置は、前記潤滑油の温度の入力を受け付ける潤滑油温度受付手段を備えており、
前記閾値設定手段は、前記潤滑油温度受付手段によって入力が受け付けられた前記潤滑油の温度に更に応じた前記閾値を設定することを特徴とする請求項１から請求項３までの何れかに記載の減速機破損状態通知装置。
【請求項５】
請求項１から請求項４までの何れかに記載の減速機破損状態通知装置と、前記減速機破損状態通知装置によって前記減速機の破損の状態が通知される前記機械とを備えていることを特徴とする減速機破損状態通知機能付機械システム。
【請求項６】
請求項１から請求項４までの何れかに記載の減速機破損状態通知装置としてコンピューターを機能させることを特徴とする減速機破損状態通知プログラム。
【発明の詳細な説明】
【技術分野】
【０００１】
本発明は、減速機と、この減速機の潤滑油の劣化を検出するための潤滑油劣化センサーとを備えている機械の減速機の破損の状態を通知するための減速機破損状態通知装置に関する。
【背景技術】
【０００２】
従来、機械の潤滑油の劣化を検出するための潤滑油劣化センサーとして、潤滑油が侵入するためのオイル侵入用空隙部を赤外ＬＥＤ（Ｌｉｇｈｔ  Ｅｍｉｔｔｉｎｇ  Ｄｉｏｄｅ）からフォトダイオードまでの光路上に形成し、赤外ＬＥＤの出射光に対するオイル侵入用空隙部内の潤滑油による光吸収量をフォトダイオードの受光量によって測定することによって、測定した光吸収量と相関する潤滑油の劣化度を判定するオイル劣化度センサーが知られている（例えば、特許文献１、２参照。）。
【０００３】
しかしながら、特許文献１、２に記載されたオイル劣化度センサーは、潤滑油の劣化度として潤滑油中の不溶解分の濃度を測定することができるが、潤滑油中の汚染物質の種類を特定することができないという問題がある。
【０００４】
潤滑油中の汚染物質の種類を特定する技術としては、潤滑油の濾過後のメンブランフィルタにＬＥＤによって光を照射して、メンブランフィルタ上の汚染物質からの反射光を受光素子でＲＧＢのデジタル値に変換し、変換したＲＧＢのデジタル値に基づいて潤滑油中の汚染物質の種類を特定する技術が知られている（例えば、非特許文献１、２参照。）。
【先行技術文献】
【特許文献】
【０００５】
【特許文献１】特開平７−１４６２３３号公報
【特許文献２】特開平１０−１０４１６０号公報
【非特許文献１】山口  智彦、外４名、「潤滑油汚染物質の色相判別法」、福井大学  工学部  研究報告、２００３年３月、第５１巻、第１号、p.81-88
【非特許文献２】本田  知己、「潤滑油の劣化診断・検査技術」、精密工学会誌、２００９年、第７５巻、第３号、p.359-362
【発明の概要】
【発明が解決しようとする課題】
【０００６】
しかしながら、非特許文献１、２に記載された技術は、機械から潤滑油を抜き取ってメンブランフィルタで濾過する必要があり、即時性に欠けるという問題がある。
【０００７】
そこで、本願の発明者は、減速機を備えている機械に備えられて、減速機の潤滑油中の汚染物質の種類および量を即時に特定可能にすることができる潤滑油劣化センサーを開発した。この潤滑油劣化センサー（以下「新センサー」という。）は、光を発する発光素子と、受けた光の色を検出するカラー受光素子と、減速機の潤滑油が侵入するための隙間であって発光素子からカラー受光素子までの光路上に配置されている油用隙間が形成されていて光を透過させる隙間形成部材とを備えているものである。
【０００８】
そして、本願の発明者は、新センサーのカラー受光素子によって検出された色と所定の色との色差が所定の閾値に達した場合に、この閾値に対応する減速機の破損の状態を通知する減速機破損状態通知装置を開発した。
【０００９】
しかしながら、新センサーのカラー受光素子によって検出された色と所定の色との色差と、減速機の破損の状態との関係は、潤滑油の温度など、減速機の使用条件によって異なるということを本願の発明者は発見した。新センサーのカラー受光素子によって検出された色と所定の色との色差と、減速機の破損の状態との関係が一定でない場合、上記減速機破損状態通知装置は、減速機の破損の状態を精度良く通知することができないという問題がある。
【００１０】
そこで、本発明は、減速機の使用条件が異なる場合であっても減速機の破損の状態を精度良く通知することができる減速機破損状態通知装置を提供することを目的とする。
【課題を解決するための手段】
【００１１】
本発明の減速機破損状態通知装置は、減速機と、前記減速機の潤滑油の劣化を検出するための潤滑油劣化センサーとを備えている機械の前記減速機の破損の状態を通知するための減速機破損状態通知装置であって、前記潤滑油劣化センサーは、光を発する発光素子と、受けた光の色を検出するカラー受光素子と、前記潤滑油が侵入するための隙間であって前記発光素子から前記カラー受光素子までの光路上に配置されている油用隙間が形成されていて光を透過させる隙間形成部材とを備えており、前記減速機破損状態通知装置は、前記減速機の破損の状態を通知する破損状態通知手段と、前記破損状態通知手段による通知のための閾値を設定する閾値設定手段と、前記潤滑油の温度の入力を受け付ける潤滑油温度受付手段とを備えており、前記破損状態通知手段は、前記カラー受光素子によって検出された色と所定の色との色差が前記閾値設定手段によって設定された前記閾値に達した場合に、この閾値に対応する前記減速機の破損の状態を通知し、前記閾値設定手段は、前記潤滑油温度受付手段によって入力が受け付けられた前記潤滑油の温度に応じた前記閾値を設定することを特徴とする。
【００１２】
この構成により、本発明の減速機破損状態通知装置は、減速機の破損の状態を通知するための閾値を潤滑油の温度に応じて設定するので、減速機の使用条件として潤滑油の温度が異なる場合であっても、減速機の破損の状態を精度良く通知することができる。
【００１３】
また、本発明の減速機破損状態通知装置において、前記機械は、前記潤滑油の温度を検出するための潤滑油温度センサーを備えており、前記潤滑油温度受付手段は、前記潤滑油温度センサーによって検出された前記潤滑油の温度の入力を受け付けても良い。
【００１４】
この構成により、本発明の減速機破損状態通知装置は、減速機の破損の状態を通知するための閾値を潤滑油の実際の温度に応じて設定するので、減速機の破損の状態を潤滑油の実際の温度に応じて精度良く通知することができる。
【００１５】
また、本発明の減速機破損状態通知装置において、前記閾値設定手段は、前記潤滑油温度受付手段によって入力が受け付けられた所定の期間の前記潤滑油の温度の平均値に応じた前記閾値を設定しても良い。
【００１６】
この構成により、本発明の減速機破損状態通知装置は、減速機の破損の状態を通知するための閾値を所定の期間の潤滑油の実際の温度の平均値に応じて設定するので、潤滑油の温度が一時的に急激に変化した場合に減速機の破損の状態を誤って通知することを防止することができる。
【００１７】
また、本発明の減速機破損状態通知装置において、前記破損状態通知手段は、前記潤滑油温度受付手段によって入力が受け付けられた所定の期間の前記潤滑油の温度の平均値の上昇量が所定の値以上である場合、前記減速機の破損の状態を通知しても良い。
【００１８】
潤滑油が新しいものに交換された直後の場合など、減速機が実際には破損に近付いているとき、または、既に破損しているときであっても潤滑油の劣化が直ぐには生じ難い場合がある。潤滑油の劣化が生じていなければ、カラー受光素子によって検出された色と所定の色との色差は閾値に達しない。しかしながら、減速機が実際には破損に近付いているとき、または、既に破損しているときには、減速機が激しく発熱するので、潤滑油の温度が急激に上昇する。本発明の減速機破損状態通知装置は、所定の期間の潤滑油の実際の温度の平均値の上昇量が所定の値以上である場合に減速機の破損の状態を通知するので、減速機が実際には破損に近付いているとき、または、既に破損しているときにカラー受光素子によって検出された色と所定の色との色差が閾値に達しない場合であっても、減速機の破損の状態を適切に通知することができる。
【００１９】
また、本発明の減速機破損状態通知装置において、前記機械は、前記潤滑油を収納することが可能な空間である油収納空間が形成されており、前記減速機は、前記油収納空間の一部である減速機内油収納空間が形成されており、前記減速機破損状態通知装置は、前記減速機内油収納空間の容積に対する前記潤滑油の量である油封入比率の入力を受け付ける油封入比率受付手段を備えており、前記閾値設定手段は、前記油封入比率受付手段によって入力が受け付けられた前記油封入比率に更に応じた前記閾値を設定しても良い。
【００２０】
この構成により、本発明の減速機破損状態通知装置は、減速機の破損の状態を通知するための閾値を潤滑油の温度および油封入比率に応じて設定するので、減速機の使用条件として潤滑油の温度および油封入比率が異なる場合であっても、減速機の破損の状態を精度良く通知することができる。
【００２１】
本発明の減速機破損状態通知装置は、減速機と、前記減速機の潤滑油の劣化を検出するための潤滑油劣化センサーとを備えている機械の前記減速機の破損の状態を通知するための減速機破損状態通知装置であって、前記機械は、前記潤滑油を収納することが可能な空間である油収納空間が形成されており、前記減速機は、前記油収納空間の一部である減速機内油収納空間が形成されており、前記潤滑油劣化センサーは、光を発する発光素子と、受けた光の色を検出するカラー受光素子と、前記潤滑油が侵入するための隙間であって前記発光素子から前記カラー受光素子までの光路上に配置されている油用隙間が形成されていて光を透過させる隙間形成部材とを備えており、前記減速機破損状態通知装置は、前記減速機の破損の状態を通知する破損状態通知手段と、前記破損状態通知手段による通知のための閾値を設定する閾値設定手段と、前記減速機内油収納空間の容積に対する前記潤滑油の量である油封入比率の入力を受け付ける油封入比率受付手段とを備えており、前記破損状態通知手段は、前記カラー受光素子によって検出された色と所定の色との色差が前記閾値設定手段によって設定された前記閾値に達した場合に、この閾値に対応する前記減速機の破損の状態を通知し、前記閾値設定手段は、前記油封入比率受付手段によって入力が受け付けられた前記油封入比率に応じた前記閾値を設定することを特徴とする。
【００２２】
この構成により、本発明の減速機破損状態通知装置は、減速機の破損の状態を通知するための閾値を油封入比率に応じて設定するので、減速機の使用条件として油封入比率が異なる場合であっても、減速機の破損の状態を精度良く通知することができる。
【００２３】
また、本発明の減速機破損状態通知装置において、前記減速機の型式に対応する前記減速機内油収納空間の容積を記憶する型式容積対応記憶部を備えており、前記油封入比率受付手段は、前記減速機の型式の入力を受け付ける減速機型式受付手段と、前記潤滑油の量の入力を受け付ける潤滑油量受付手段とを備えており、前記油封入比率受付手段は、前記減速機型式受付手段によって入力が受け付けられた前記減速機の型式に対応して前記型式容積対応記憶部に記憶されている前記減速機内油収納空間の容積と、前記潤滑油量受付手段によって入力が受け付けられた前記潤滑油の量とに基づいて前記油封入比率を算出することによって、間接的に前記油封入比率の入力を受け付け、前記閾値設定手段は、前記減速機型式受付手段によって入力が受け付けられた前記減速機の型式に更に応じた前記閾値を設定しても良い。
【００２４】
この構成により、本発明の減速機破損状態通知装置は、潤滑油の量と、減速機の型式とが入力されるだけで、減速機の破損の状態を通知するための閾値を油封入比率および減速機の型式に応じて設定することができる。
【００２５】
また、本発明の減速機破損状態通知装置は、前記油収納空間の容積の入力を受け付ける油収納空間受付手段を備えており、前記閾値設定手段は、前記油収納空間受付手段によって入力が受け付けられた前記油収納空間の容積に更に応じた前記閾値を設定しても良い。
【００２６】
この構成により、本発明の減速機破損状態通知装置は、減速機の破損の状態を通知するための閾値を油収納空間の容積に応じて設定するので、減速機の使用条件として油収納空間の容積が異なる場合であっても、減速機の破損の状態を精度良く通知することができる。
【００２７】
また、本発明の減速機破損状態通知装置において、前記閾値は、前記減速機の破損の可能性に対応した複数段階の閾値を含んでいても良い。
【００２８】
この構成により、本発明の減速機破損状態通知装置は、減速機の破損の状態を減速機の破損の可能性として複数段階で通知することができる。
【００２９】
本発明の減速機破損状態通知機能付機械システムは、減速機破損状態通知装置と、前記減速機破損状態通知装置によって前記減速機の破損の状態が通知される前記機械とを備えていることを特徴とする。
【００３０】
この構成により、本発明の減速機破損状態通知機能付機械システムは、減速機の使用条件が異なる場合であっても、減速機の破損の状態を精度良く通知することができる。
【００３１】
本発明の減速機破損状態通知機能付機械システムは、減速機破損状態通知装置と、前記減速機破損状態通知装置によって前記減速機の破損の状態が通知される前記機械とを備えており、前記潤滑油温度センサーは、前記潤滑油劣化センサーに内蔵されていることを特徴とする。
【００３２】
この構成により、本発明の減速機破損状態通知機能付機械システムは、減速機の使用条件が異なる場合であっても、減速機の破損の状態を精度良く通知することができる。また、本発明の減速機破損状態通知機能付機械システムは、潤滑油温度センサーが潤滑油劣化センサーに内蔵されているので、潤滑油温度センサーが潤滑油劣化センサーとは別に設けられている構成と比較して、容易に構築されることができる。
【００３３】
本発明の減速機破損状態通知プログラムは、減速機破損状態通知装置としてコンピューターを機能させることを特徴とする。
【００３４】
この構成により、本発明の減速機破損状態通知プログラムを実行するコンピューターは、減速機の使用条件が異なる場合であっても、減速機の破損の状態を精度良く通知することができる。
【発明の効果】
【００３５】
本発明の減速機破損状態通知装置は、減速機の使用条件が異なる場合であっても減速機の破損の状態を精度良く通知することができる。
【図面の簡単な説明】
【００３６】
【図１】本発明の一実施の形態に係る減速機破損状態通知機能付機械システムのブロック図である。
【図２】図１に示す産業用ロボットの側面図である。
【図３】図１に示す産業用ロボットの関節部の断面図である。
【図４】図３に示す潤滑油劣化センサーの正面図である。
【図５】アームに取り付けられた状態での図４に示す潤滑油劣化センサーの正面断面図である。
【図６】（ａ）は、図４に示す潤滑油劣化センサーの平面図である。（ｂ）は、図４に示す潤滑油劣化センサーの底面図である。
【図７】図５に示す白色ＬＥＤからＲＧＢセンサーまでの光路を示す図である。
【図８】図１に示す減速機破損状態通知装置のブロック図である。
【図９】図８に示す型式容積対応テーブルの一例を示す図である。
【図１０】図８に示す閾値設定用テーブルの一例を示す図である。
【図１１】図８に示すテーブル選択用テーブルの一例を示す図である。
【図１２】（ａ）は、図３に示す潤滑油の温度が４０℃であり、油封入比率が８０％である場合の色差ΔＥの時間変化の実験結果の一例を示すグラフである。図１２（ｂ）は、図３に示す潤滑油の温度が６０℃であり、油封入比率が８０％である場合の色差ΔＥの時間変化の実験結果の一例を示すグラフである。図１２（ｃ）は、図３に示す潤滑油の温度が６０℃であり、油封入比率が１１０％である場合の色差ΔＥの時間変化の実験結果の一例を示すグラフである。
【図１３】図８に示す減速機破損状態通知装置の動作のフローチャートである。
【図１４】図１３に示す動作の続きの動作のフローチャートである。
【図１５】図８に示す表示部に表示される情報入力画面の一例を示す図である。
【図１６】（ａ）は、図８に示す表示部に表示される画面であって、減速機が破損している可能性が高いことを警告する通知の画面の一例を示す図である。（ｂ）は、図８に示す表示部に表示される画面であって、減速機が破損している可能性があることを警告する通知の画面の一例を示す図である。（ｃ）は、図８に示す表示部に表示される画面であって、利用者に減速機の点検または修理を促す通知の画面の一例を示す図である。
【図１７】（ａ）は、関節部内油収納空間の容積、減速機内油収納空間の容積、潤滑油の量がそれぞれ２００ｍｌ、１５０ｍｌ、１２０ｍｌである場合の図３に示す関節部の模式図である。（ｂ）は、関節部内油収納空間の容積、減速機内油収納空間の容積、潤滑油の量がそれぞれ３００ｍｌ、１５０ｍｌ、１２０ｍｌである場合の図３に示す関節部の模式図である。
【発明を実施するための形態】
【００３７】
以下、本発明の一実施の形態について、図面を用いて説明する。
【００３８】
まず、本実施の形態に係る減速機破損状態通知機能付機械システムの構成について説明する。
【００３９】
図１は、本実施の形態に係る減速機破損状態通知機能付機械システム１０のブロック図である。
【００４０】
図１に示すように、減速機破損状態通知機能付機械システム１０は、本発明の機械としての産業用ロボット２０と、産業用ロボット２０の減速機の破損の状態を通知するための減速機破損状態通知装置１００とを備えている。産業用ロボット２０および減速機破損状態通知装置１００は、ＬＡＮ（Ｌｏｃａｌ  Ａｒｅａ  Ｎｅｔｗｏｒｋ）などのネットワーク１１を介して互いに通信可能に接続されている。
【００４１】
図２は、産業用ロボット２０の側面図である。
【００４２】
図２に示すように、産業用ロボット２０は、床、天井などの設置部分９０に取り付けられる取付部２１と、アーム２２、２３、２４、２５および２６と、取付部２１およびアーム２２を接続する関節部３１と、アーム２２およびアーム２３を接続する関節部３２と、アーム２３およびアーム２４を接続する関節部３３と、アーム２４およびアーム２５を接続する関節部３４と、アーム２５およびアーム２６を接続する関節部３５と、アーム２６および図示していないハンドを接続する関節部３６とを備えている。
【００４３】
図３は、関節部３２の断面図である。なお、以下においては、関節部３２について説明するが、関節部３１、３３〜３６についても同様である。
【００４４】
図３に示すように、関節部３２は、アーム２２およびアーム２３を接続する減速機４０と、ボルト５１によってアーム２２に固定されたモーター５０と、減速機４０の可動部に生じる摩擦を軽減するための潤滑油４０ａの劣化を検出するための潤滑油劣化センサー６０とを備えている。
【００４５】
関節部３２は、潤滑油４０ａを収納することが可能な空間である油収納空間としての関節部内油収納空間３０がアーム２２、２３および減速機４０によって形成されている。また、減速機４０は、関節部内油収納空間３０の一部である減速機内油収納空間３０ａが形成されている。
【００４６】
減速機４０は、ボルト４１ａによってアーム２２に固定されたケース４１と、ボルト４２ａによってアーム２３に固定された支持体４２と、モーター５０の出力軸に固定された歯車４３と、減速機４０の中心軸の周りに等間隔に３個配置されていて歯車４３と噛み合う歯車４４と、減速機４０の中心軸の周りに等間隔に３個配置されていて歯車４４に固定されたクランク軸４５と、ケース４１に設けられた内歯歯車と噛み合う２個の外歯歯車４６とを備えている。
【００４７】
支持体４２は、ケース４１に軸受４１ｂを介して回転可能に支持されている。ケース４１と、支持体４２との間には、潤滑油４０ａの漏れを防止するためのシール部材４１ｃが設けられている。
【００４８】
クランク軸４５は、支持体４２に軸受４２ｂを介して回転可能に支持されているとともに、外歯歯車４６に軸受４６ａを介して回転可能に支持されている。
【００４９】
潤滑油劣化センサー６０は、アーム２３に固定されている。
【００５０】
図４は、潤滑油劣化センサー６０の正面図である。図５は、アーム２３に取り付けられた状態での潤滑油劣化センサー６０の正面断面図である。図６（ａ）は、潤滑油劣化センサー６０の平面図である。図６（ｂ）は、潤滑油劣化センサー６０の底面図である。
【００５１】
図４〜図６に示すように、潤滑油劣化センサー６０は、潤滑油劣化センサー６０の各部品を支持するアルミニウム合金製の筐体６１と、潤滑油４０ａが侵入するための隙間である油用隙間６２ａが形成されている隙間形成部材６２と、隙間形成部材６２を支持する支持部材６３と、筐体６１およびアーム２３の間からの潤滑油４０ａの漏れを防止するＯリング６４と、筐体６１および支持部材６３の間からの潤滑油４０ａの漏れを防止するＯリング６５と、筐体６１および支持部材６３の間に配置されたＯリング６６と、電子部品群７０とを備えている。
【００５２】
筐体６１は、アーム２３のネジ穴２３ａに固定されるためのネジ部６１ａと、アーム２３のネジ穴２３ａに対してネジ部６１ａが回転させられるときにスパナなどの工具によって掴まれるための工具接触部６１ｂとを備えている。なお、アーム２３のネジ穴２３ａは、潤滑油劣化センサー６０が取り外されている状態のときに、減速機４０への潤滑油４０ａの供給と、減速機４０からの潤滑油４０ａの廃棄とに利用されても良い。
【００５３】
隙間形成部材６２は、２つのガラス製の直角プリズム６２ｂ、６２ｃによって構成されており、潤滑油４０ａが侵入するための隙間である油用隙間６２ａが２つの直角プリズム６２ｂ、６２ｃの間に形成されている。直角プリズム６２ｂ、６２ｃは、接着剤によって支持部材６３に固定されている。
【００５４】
支持部材６３は、筐体６１に六角穴付ボルト６７によって固定されている。支持部材６３は、アルミニウム合金製のホルダー６３ａと、ホルダー６３ａに六角穴付ボルト６３ｂによって固定されたアルミニウム合金製のホルダーキャップ６３ｃとを備えている。
【００５５】
電子部品群７０は、支持部材６３にネジ６８によって固定された回路基板７１と、白色の光を発する発光素子であって回路基板７１に実装された白色ＬＥＤ７２と、受けた光の色を検出するカラー受光素子であって回路基板７１に実装されたＲＧＢセンサー７３と、回路基板７１に対して白色ＬＥＤ７２およびＲＧＢセンサー７３側とは反対側に配置された回路基板７４と、回路基板７１および回路基板７４を固定する複数本の柱７５と、ホルダー６３ａを介して潤滑油４０ａの温度を検出するための潤滑油温度センサーであって回路基板７４に実装された温度センサー７６と、回路基板７４に対して回路基板７１側とは反対側に配置された回路基板７７と、回路基板７４および回路基板７７を固定する複数本の柱７８と、回路基板７４側とは反対側に回路基板７７に実装されたコネクタ７９とを備えている。回路基板７１、回路基板７４および回路基板７７は、複数の電子部品が実装されている。また、回路基板７１、回路基板７４および回路基板７７は、互いに電気的に接続されている。
【００５６】
コネクタ７９は、潤滑油劣化センサー６０の外部の装置のコネクタ８０が接続されて、外部の装置からコネクタ８０を介して電力が供給されるとともに、ＲＧＢセンサー７３の検出結果と、温度センサー７６の検出結果とを電気信号としてコネクタ８０を介して外部の装置に出力するようになっている。
【００５７】
図７は、白色ＬＥＤ７２からＲＧＢセンサー７３までの光路７２ａを示す図である。
【００５８】
図７に示すように、隙間形成部材６２の油用隙間６２ａは、白色ＬＥＤ７２からＲＧＢセンサー７３までの光路７２ａ上に配置されている。
【００５９】
ホルダー６３ａは、白色ＬＥＤ７２からＲＧＢセンサー７３までの光路７２ａの少なくとも一部を囲んでいる。ホルダー６３ａは、例えば艶消しの黒アルマイト処理のように、光の反射を防止する処理が表面に施されている。
【００６０】
直角プリズム６２ｂ、６２ｃは、白色ＬＥＤ７２によって発せられる光を透過させる。白色ＬＥＤ７２によって発せられる光の直角プリズム６２ｂ、６２ｃにおける入射面および出射面は、光学研磨されている。
【００６１】
光路７２ａは、直角プリズム６２ｂの反射面で９０度曲げられていて、直角プリズム６２ｃの反射面でも９０度曲げられている。すなわち、光路７２ａは、隙間形成部材６２によって１８０度曲げられている。白色ＬＥＤ７２によって発せられる光の直角プリズム６２ｂ、６２ｃにおける反射面は、光学研磨されていて、アルミ蒸着膜が施されている。そして、硬度や密着力が弱いアルミ蒸着膜を保護するために、ＳｉＯ２膜がアルミ蒸着膜上に更に施されている。
【００６２】
白色ＬＥＤ７２によって発せられる光の直角プリズム６２ｂにおける出射面と、白色ＬＥＤ７２によって発せられる光の直角プリズム６２ｃにおける入射面との距離、すなわち、油用隙間６２ａの長さは、例えば１ｍｍである。油用隙間６２ａの長さが短過ぎる場合、潤滑油４０ａ中の汚染物質が油用隙間６２ａを適切に流通し難いので、潤滑油４０ａ中の汚染物質の色の検出精度が落ちる。一方、油用隙間６２ａの長さが長過ぎる場合、白色ＬＥＤ７２から発せられた光が油用隙間６２ａ内の潤滑油４０ａ中の汚染物質によって吸収され過ぎてＲＧＢセンサー７３まで届き難いので、やはり潤滑油４０ａ中の汚染物質の色の検出精度が落ちる。したがって、油用隙間６２ａの長さは、潤滑油４０ａ中の汚染物質の色の検出精度が高くなるように、適切に設定されることが好ましい。
【００６３】
潤滑油劣化センサー６０は、白色ＬＥＤ７２によって発せられた白色の光のうち油用隙間６２ａにおいて潤滑油４０ａ中の汚染物質によって吸収されなかった波長の光に対して、ＲＧＢセンサー７３によって色を検出するので、減速機４０の潤滑油４０ａ中の汚染物質の色を即時に検出することができる。そして、減速機破損状態通知装置１００は、ＲＧＢセンサー７３によって検出された色に基づいて減速機４０の潤滑油４０ａ中の汚染物質の種類および量を即時に特定することができる。すなわち、潤滑油劣化センサー６０は、潤滑油４０ａ中の汚染物質の色を検出することによって、潤滑油４０ａの劣化の程度を検出することができる。
【００６４】
なお、潤滑油４０ａの劣化の程度は、ＲＧＢセンサー７３によって検出された色の所定の色である黒色に対する色差ΔＥで判断されることができる。ＲＧＢセンサー７３によって検出された色の黒色に対する色差ΔＥは、ＲＧＢセンサー７３によって検出された色のＲ、Ｇ、Ｂの各値を使用して、次の数１で示す式で計算することができる。
【数１】
0005860739.tif 000002
【００６５】
一般的に、産業用ロボットは、関節部に使用されている減速機の性能によってアームの軌跡の精度などが大きく左右される。したがって、産業用ロボット用の減速機は、性能が落ちた場合に適切に交換されることが大切である。しかしながら、産業用ロボット用の減速機が交換される場合、その減速機を備えている産業用ロボットや、その産業用ロボットが設置されている生産ラインが停止されなければならない。そこで、産業用ロボット用の減速機の交換時期を把握するために、産業用ロボット用の減速機の故障が適切に予知されることは非常に重要である。ここで、産業用ロボット２０の各潤滑油劣化センサーは、ＲＧＢセンサー７３によって検出した色に基づいて減速機４０の潤滑油４０ａ中の汚染物質の種類および量を減速機破損状態通知装置１００によって即時に特定することができる。したがって、減速機破損状態通知機能付機械システム１０は、産業用ロボット用の減速機の故障の即時の予知を可能にすることができる。
【００６６】
なお、潤滑油４０ａには、摩擦面の摩擦を低減するためのモリブデンジチオカルバメート（ＭｏＤＴＣ）、モリブデンジチオホスフェート（ＭｏＤＴＰ）などの有機モリブデン（Ｍｏ）などの摩擦低減剤、摩擦面の焼き付きを抑える性能である極圧性を向上するためのＳＰ系添加剤などの極圧添加剤、スラッジの発生や付着を抑えるためのＣａスルフォネートなどの分散剤など、各種の添加剤が添加される場合がある。これらの添加剤は、潤滑油４０ａの劣化とともに、例えば、産業用ロボット２０および減速機の金属表面に付着、結合したり、沈降したりして潤滑油４０ａから分離される。各潤滑油劣化センサーは、潤滑油４０ａ中の鉄粉の量だけでなく、潤滑油４０ａに添加されている各種の添加剤の減少に伴う基油の劣化度やスラッジ等の汚染物質の増加を、検出した色に基づいて特定することができる。したがって、減速機破損状態通知機能付機械システム１０は、鉄粉濃度のみに基づいて減速機の故障を予知する技術と比較して、故障の予知の精度を向上することができる。
【００６７】
ここで、潤滑油劣化センサー６０の組立方法について説明する。
【００６８】
まず、直角プリズム６２ｂ、６２ｃおよび白色ＬＥＤ７２が接着剤によってホルダー６３ａに固定される。
【００６９】
次いで、ＲＧＢセンサー７３が実装された回路基板７１がホルダー６３ａにネジ６８によって固定され、白色ＬＥＤ７２が回路基板７１にハンダによって固定される。更に、温度センサー７６、コネクタ７９など、各種の電子部品が組み上げられて電子部品群７０がホルダー６３ａに支持される。
【００７０】
次いで、ホルダーキャップ６３ｃがホルダー６３ａに六角穴付ボルト６３ｂによって固定される。
【００７１】
最後に、ホルダー６３ａが、Ｏリング６４、Ｏリング６５およびＯリング６６が取り付けられた筐体６１に六角穴付ボルト６７によって固定される。
【００７２】
また、アーム２３への潤滑油劣化センサー６０の設置方法について説明する。
【００７３】
まず、筐体６１の工具接触部６１ｂが工具によって掴まれて、アーム２３のネジ穴２３ａに筐体６１のネジ部６１ａがねじ込まれることによって、アーム２３に潤滑油劣化センサー６０が固定される。
【００７４】
そして、潤滑油劣化センサー６０の外部の装置のコネクタ８０がコネクタ７９に接続される。
【００７５】
図８は、減速機破損状態通知装置１００のブロック図である。
【００７６】
図８に示す減速機破損状態通知装置１００は、ＰＣ（Ｐｅｒｓｏｎａｌ  Ｃｏｍｐｕｔｅｒ）である。減速機破損状態通知装置１００は、利用者による種々の操作が入力されるマウス、キーボードなどの入力デバイスである操作部１０１と、種々の情報を表示するＬＣＤ（Ｌｉｑｕｉｄ  Ｃｒｙｓｔａｌ  Ｄｉｓｐｌａｙ）などの表示デバイスである表示部１０２と、ネットワーク１１（図１参照。）経由で通信を行うネットワーク通信デバイスであるネットワーク通信部１０３と、各種のデータを記憶しているＨＤＤ（Ｈａｒｄ  Ｄｉｓｋ  Ｄｒｉｖｅ）などの記憶デバイスである記憶部１０４と、減速機破損状態通知装置１００全体を制御する制御部１０５とを備えている。
【００７７】
記憶部１０４は、産業用ロボット２０の減速機の破損の状態を通知するための減速機破損状態通知プログラム１０４ａを記憶している。
【００７８】
減速機破損状態通知プログラム１０４ａは、減速機破損状態通知装置１００の製造段階で減速機破損状態通知装置１００にインストールされていても良いし、ＵＳＢ（Ｕｎｉｖｅｒｓａｌ  Ｓｅｒｉａｌ  Ｂｕｓ）メモリー、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）などの記憶媒体から減速機破損状態通知装置１００に追加でインストールされても良いし、ネットワーク１１上から減速機破損状態通知装置１００に追加でインストールされても良い。
【００７９】
記憶部１０４は、減速機の型式に対応する減速機内油収納空間３０ａの容積を示すテーブルである型式容積対応テーブル１０４ｂを記憶している。すなわち、記憶部１０４は、本発明の型式容積対応記憶部を構成している。
【００８０】
図９は、型式容積対応テーブル１０４ｂの一例を示す図である。
【００８１】
図９に示すように、型式容積対応テーブル１０４ｂにおいては、減速機の型式毎に減速機内油収納空間３０ａの容積が対応付けられている。図９に示す型式容積対応テーブル１０４ｂによれば、例えば、型式が“ＲＶ−ＸＸ２”である減速機の減速機内油収納空間３０ａの容積は、１００ｍｌである。
【００８２】
図８に示すように、記憶部１０４は、減速機４０の破損の状態の通知のための閾値を設定するためのテーブルである閾値設定用テーブル１０４ｃを複数記憶している。なお、記憶部１０４が記憶している複数の閾値設定用テーブル１０４ｃは、対応する減速機の型式と、対応する関節部内油収納空間の容積とがそれぞれ異なっており、それぞれＩＤが付けられている。
【００８３】
図１０は、閾値設定用テーブル１０４ｃの一例を示す図である。なお、図１０に示す閾値設定用テーブル１０４ｃにおいては、多数の空欄が存在するが、実際には具体的な閾値が入っている。
【００８４】
図１０に示すように、閾値設定用テーブル１０４ｃにおいては、潤滑油４０ａの温度と、減速機内油収納空間３０ａの容積に対する潤滑油４０ａの量である油封入比率とに対応する閾値が示されている。図１０に示す閾値設定用テーブル１０４ｃにおいては、閾値の欄に、数値が２段記載されている。上段の数値は、減速機が破損している可能性が非常に高く、そのために利用者に点検または修理を促すための閾値である点検修理用閾値である。下段の数値は、減速機が破損している可能性があることを警告するための閾値である警告用閾値である。図１０に示す閾値設定用テーブル１０４ｃによれば、例えば、潤滑油の温度が４０℃以上５０℃未満であり、油封入比率が８０％以上９０％未満である場合、点検修理用閾値、警告用閾値は、それぞれ、２８５、３３５である。なお、潤滑油４０ａの温度が−１０℃未満である場合と、潤滑油４０ａの温度が８０℃以上である場合とは、本実施の形態に係る潤滑油劣化センサーの仕様の範囲外であるので、図１０に示す閾値設定用テーブル１０４ｃにおいては規定されていない。また、油封入比率が３０％未満である場合は、本実施の形態に係る減速機の仕様の範囲外であるので、図１０に示す閾値設定用テーブル１０４ｃにおいては規定されていない。
【００８５】
図８に示すように、記憶部１０４は、複数の閾値設定用テーブル１０４ｃから適切な閾値設定用テーブルを選択するためのテーブルであるテーブル選択用テーブル１０４ｄを記憶している。
【００８６】
図１１は、テーブル選択用テーブル１０４ｄの一例を示す図である。
【００８７】
図１１に示すように、テーブル選択用テーブル１０４ｄにおいては、減速機の型式と、関節部内油収納空間の容積とに対応する閾値設定用テーブル１０４ｃのＩＤが示されている。図１１に示すテーブル選択用テーブル１０４ｄによれば、例えば、減速機の型式が“ＲＶ−ＸＸ２”であり、関節部内油収納空間３０の容積が１００ｍｌ以上１５０ｍｌ未満である場合、複数の閾値設定用テーブル１０４ｃのうちＩＤが“テーブル３”である閾値設定用テーブルが選択される。
【００８８】
図８に示す制御部１０５は、例えば、ＣＰＵ（Ｃｅｎｔｒａｌ  Ｐｒｏｃｅｓｓｉｎｇ  Ｕｎｉｔ）と、プログラムおよび各種のデータを予め記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部１０４に記憶されているプログラムを実行するようになっている。
【００８９】
制御部１０５は、記憶部１０４に記憶されている減速機破損状態通知プログラム１０４ａを実行することによって、減速機４０の破損の状態を通知する破損状態通知手段としての破損状態通知部１０５ａ、破損状態通知部１０５ａによる通知のための閾値を設定する閾値設定手段としての閾値設定部１０５ｂ、潤滑油４０ａの温度の入力を受け付ける潤滑油温度受付手段としての潤滑油温度受付部１０５ｃ、関節部内油収納空間３０の容積の入力を受け付ける油収納空間受付手段としての関節部内油収納空間受付部１０５ｄ、および、減速機内油収納空間３０ａの容積に対する潤滑油４０ａの量である油封入比率の入力を受け付ける油封入比率受付手段としての油封入比率受付部１０５ｅとして機能する。油封入比率受付部１０５ｅは、減速機４０の型式の入力を受け付ける減速機型式受付手段としての減速機型式受付部１０５ｆと、潤滑油４０ａの量の入力を受け付ける潤滑油量受付手段としての潤滑油量受付部１０５ｇとを備えている。
【００９０】
次に、閾値設定用テーブル１０４ｃの作成方法の一例について説明する。
【００９１】
関節部３２の構成と同等な構成で作成された実験用の装置に、最大出力回転数が１５ｒｐｍであり、最大負荷トルクが減速機４０の定格トルクの２．５倍であり、負荷モーメントが減速機４０の定格モーメントであるという条件において、ケース４１に対して支持体４２を正方向に４５°回転させた後、逆方向に４５°回転させるという往復回転運動を継続させるという実験を行う。この実験において、潤滑油４０ａは、劣化の程度が少ない新油が使用される。そして、潤滑油劣化センサー６０のＲＧＢセンサー７３によって検出された色の黒色に対する色差ΔＥの時間変化を調べる。
【００９２】
図１２（ａ）は、潤滑油４０ａの温度が４０℃であり、油封入比率が８０％である場合の色差ΔＥの時間変化の実験結果の一例を示すグラフである。図１２（ｂ）は、潤滑油４０ａの温度が６０℃であり、油封入比率が８０％である場合の色差ΔＥの時間変化の実験結果の一例を示すグラフである。図１２（ｃ）は、潤滑油４０ａの温度が６０℃であり、油封入比率が１１０％である場合の色差ΔＥの時間変化の実験結果の一例を示すグラフである。
【００９３】
図１２において、定格換算時間とは、実験用の装置が実際に駆動させられた場合の減速機４０の出力回転数および負荷トルクに基づいて、実験用の装置が実際に駆動させられた時間を、出力回転数が１５ｒｐｍであり、負荷トルクが減速機４０の定格トルクである場合の時間に換算したものである。なお、減速機４０の寿命時間は、出力回転数が１５ｒｐｍであり、負荷トルクが減速機４０の定格トルクであるという条件において減速機４０が連続駆動された場合に６０００時間であると定義されている。
【００９４】
図１２（ａ）および（ｂ）に示すように、油封入比率が同じであっても、潤滑油４０ａの温度が異なる場合には、定格換算時間が寿命時間である６０００時間に達した時点での色差ΔＥ（以下「定格寿命時色差」と言う。）は異なる。また、図１２（ｂ）および（ｃ）に示すように、潤滑油４０ａの温度が同じであっても、油封入比率が異なる場合には、定格寿命時色差は異なる。したがって、減速機４０の破損の状態の通知のための閾値は、潤滑油４０ａの温度と、油封入比率とに対応付けて決定されることが好ましい。
【００９５】
なお、複数の実験を行った場合、各実験での潤滑油４０ａの温度と、油封入比率とが同じであっても、定格寿命時色差には、ばらつきが生じる。したがって、複数の実験での定格寿命時色差のうち、最小値を点検修理用閾値とし、最大値を警告用閾値とする。
【００９６】
例えば、図１０に示す閾値設定用テーブル１０４ｃにおいて、潤滑油の温度が４０℃以上５０℃未満であり、油封入比率が８０％以上９０％未満である場合の点検修理用閾値である２８５は、潤滑油の温度が４０℃であり、油封入比率が８０％である条件で複数の実験が行われた結果、この複数の実験での定格寿命時色差のうち最小値であった数値である。同様に、図１０に示す閾値設定用テーブル１０４ｃにおいて、潤滑油の温度が４０℃以上５０℃未満であり、油封入比率が８０％以上９０％未満である場合の警告用閾値である３３５は、潤滑油の温度が４０℃であり、油封入比率が８０％である条件で複数の実験が行われた結果、この複数の実験での定格寿命時色差のうち最大値であった数値である。
【００９７】
閾値設定用テーブル１０４ｃは、以上のようにして作成される。なお、減速機の型式と、関節部内油収納空間の容積とが異なる条件で実験が行われることによって、複数の閾値設定用テーブル１０４ｃが作成される。
【００９８】
次に、減速機破損状態通知機能付機械システム１０の動作について説明する。
【００９９】
まず、産業用ロボット２０の動作について説明する。
【０１００】
なお、以下においては、関節部３２について説明するが、関節部３１、３３〜３６についても同様である。
【０１０１】
関節部３２のモーター５０の出力軸が回転すると、モーター５０の回転力は、減速機４０によって減速されて、減速機４０のケース４１に固定されたアーム２２に対して、減速機４０の支持体４２に固定されたアーム２３を動かす。
【０１０２】
関節部３２の潤滑油劣化センサー６０は、コネクタ７９を介して外部の装置から供給される電力によって白色ＬＥＤ７２から白色の光を発する。そして、潤滑油劣化センサー６０は、ＲＧＢセンサー７３によって受けた光のＲＧＢの各色の光量を電気信号としてコネクタ７９を介して外部の装置に出力する。また、潤滑油劣化センサー６０は、温度センサー７６によって検出された温度も電気信号としてコネクタ７９を介して外部の装置に出力する。
【０１０３】
次に、減速機破損状態通知装置１００の動作について説明する。
【０１０４】
なお、以下においては、関節部３２の潤滑油劣化センサー６０について説明するが、関節部３１、３３〜３６の潤滑油劣化センサーについても同様である。
【０１０５】
図１３は、減速機破損状態通知装置１００の動作のフローチャートである。図１４は、図１３に示す動作の続きの動作のフローチャートである。
【０１０６】
図１３および図１４に示すように、減速機破損状態通知装置１００の制御部１０５は、種々の情報を入力するための画面である図１５に示す情報入力画面を表示部１０２に表示する（Ｓ２０１）。
【０１０７】
図１５は、表示部１０２に表示される情報入力画面の一例を示す図である。
【０１０８】
図１５に示す情報入力画面は、減速機４０の型式を入力するためのテキストボックス１１１と、関節部内油収納空間３０の容積を入力するためのテキストボックス１１２と、関節部内油収納空間３０に封入された潤滑油４０ａの量を入力するためのテキストボックス１１３と、テキストボックス１１１〜１１３に入力された情報を設定するためのボタンである設定ボタン１１４とを含んでいる。利用者は、操作部１０１を介して、テキストボックス１１１〜１１３に適切な情報を入力し、設定ボタン１１４を押すことができる。
【０１０９】
図１３および図１４に示すように、制御部１０５は、設定ボタン１１４が押されたと判断するまで、設定ボタン１１４が押されたか否かを判断する（Ｓ２０２）。
【０１１０】
制御部１０５の減速機型式受付部１０５ｆは、設定ボタン１１４が押されたとＳ２０２において判断すると、テキストボックス１１１に入力されている減速機４０の型式が正常であるか否かを判断する（Ｓ２０３）。ここで、減速機型式受付部１０５ｆは、記憶部１０４上の型式容積対応テーブル１０４ｂに含まれている減速機４０の型式がテキストボックス１１１に入力されている場合のみ、テキストボックス１１１に入力されている減速機４０の型式が正常であると判断する。
【０１１１】
減速機型式受付部１０５ｆは、テキストボックス１１１に入力されている減速機４０の型式が正常であるとＳ２０３において判断すると、テキストボックス１１１に入力されている減速機４０の型式を記憶する（Ｓ２０４）。すなわち、減速機型式受付部１０５ｆは、減速機４０の型式の入力を受け付ける。
【０１１２】
次いで、制御部１０５の関節部内油収納空間受付部１０５ｄは、テキストボックス１１２に入力されている関節部内油収納空間３０の容積が正常であるか否かを判断する（Ｓ２０５）。ここで、関節部内油収納空間受付部１０５ｄは、Ｓ２０４において記憶した減速機４０の型式に対して記憶部１０４上の型式容積対応テーブル１０４ｂにおいて対応付けられている減速機内油収納空間３０ａの容積以上の容積がテキストボックス１１２に入力されている場合のみ、テキストボックス１１２に入力されている関節部内油収納空間３０の容積が正常であると判断する。
【０１１３】
関節部内油収納空間受付部１０５ｄは、テキストボックス１１２に入力されている関節部内油収納空間３０の容積が正常であるとＳ２０５において判断すると、テキストボックス１１２に入力されている関節部内油収納空間３０の容積を記憶する（Ｓ２０６）。すなわち、関節部内油収納空間受付部１０５ｄは、関節部内油収納空間３０の容積の入力を受け付ける。
【０１１４】
次いで、制御部１０５の潤滑油量受付部１０５ｇは、テキストボックス１１３に入力されている潤滑油４０ａの量が正常であるか否かを判断する（Ｓ２０７）。ここで、潤滑油量受付部１０５ｇは、Ｓ２０４において記憶した減速機４０の型式に対して記憶部１０４上の型式容積対応テーブル１０４ｂにおいて対応付けられている減速機内油収納空間３０ａの容積に対してテキストボックス１１３に入力されている潤滑油４０ａの量が３０％以上の値であって、テキストボックス１１３に入力されている潤滑油４０ａの量がＳ２０６において記憶した関節部内油収納空間３０の容積未満である場合のみ、テキストボックス１１３に入力されている潤滑油４０ａの量が正常であると判断する。
【０１１５】
潤滑油量受付部１０５ｇは、テキストボックス１１３に入力されている潤滑油４０ａの量が正常であるとＳ２０７において判断すると、テキストボックス１１３に入力されている潤滑油４０ａの量を記憶する（Ｓ２０８）。すなわち、潤滑油量受付部１０５ｇは、潤滑油４０ａの量の入力を受け付ける。
【０１１６】
次いで、制御部１０５の油封入比率受付部１０５ｅは、Ｓ２０４において記憶した減速機４０の型式に対して記憶部１０４上の型式容積対応テーブル１０４ｂにおいて対応付けられている減速機内油収納空間３０ａの容積と、Ｓ２０８において記憶した潤滑油４０ａの量とに基づいて油封入比率を算出し、この油封入比率を記憶する（Ｓ２０９）。すなわち、油封入比率受付部１０５ｅは、油封入比率の入力を受け付ける。
【０１１７】
制御部１０５は、テキストボックス１１１に入力されている減速機４０の型式が正常ではないとＳ２０３において判断するか、テキストボックス１１２に入力されている関節部内油収納空間３０の容積が正常ではないとＳ２０５において判断するか、テキストボックス１１３に入力されている潤滑油４０ａの量が正常ではないとＳ２０７において判断すると、エラー画面を表示部１０２に表示して（Ｓ２１０）、再びＳ２０１の処理に戻る。
【０１１８】
制御部１０５は、Ｓ２０９の処理を実行すると、Ｓ２０４において記憶した減速機４０の型式と、Ｓ２０６において記憶した関節部内油収納空間３０の容積とに対して、記憶部１０４上のテーブル選択用テーブル１０４ｄにおいて対応付けられている閾値設定用テーブル１０４ｃのＩＤを取得し、取得したＩＤが付けられている閾値設定用テーブル１０４ｃを、以後の処理において使用する閾値設定用テーブルとして決定する（Ｓ２２１）。
【０１１９】
次いで、制御部１０５の潤滑油温度受付部１０５ｃは、潤滑油劣化センサー６０の温度センサー７６の検出結果をネットワーク通信部１０３を介して取得する（Ｓ２２２）。すなわち、潤滑油温度受付部１０５ｃは、潤滑油４０ａの温度の入力を受け付ける。
【０１２０】
次いで、制御部１０５は、例えば１０分間などの所定の期間における複数回のＳ２２２において取得した潤滑油４０ａの温度の平均値を算出する（Ｓ２２３）。すなわち、制御部１０５は、直前のＳ２２２において取得した潤滑油４０ａの温度だけでなく、直前のＳ２２２より前に実行された直近の１回以上のＳ２２２において取得した潤滑油４０ａの温度にも基づいて、潤滑油４０ａの温度の平均値を算出する。
【０１２１】
次いで、制御部１０５の破損状態通知部１０５ａは、Ｓ２２３において算出された潤滑油４０ａの温度の平均値の上昇量が例えば２０℃以上など所定の値以上であるか否かを判断する（Ｓ２２４）。
【０１２２】
破損状態通知部１０５ａは、Ｓ２２３において算出された潤滑油４０ａの温度の平均値の上昇量が所定の値以上であるとＳ２２４において判断すると、図１６（ａ）に示すように、減速機４０が破損している可能性が高いことを警告する通知を、減速機４０の破損の状態の通知として表示部１０２に表示して（Ｓ２２５）、再びＳ２２２の処理に戻る。
【０１２３】
一方、制御部１０５の閾値設定部１０５ｂは、Ｓ２２３において算出された潤滑油４０ａの温度の平均値の上昇量が所定の値未満であるとＳ２２４において判断されると、Ｓ２０９において記憶した油封入比率と、Ｓ２２３において算出した潤滑油４０ａの温度の平均値とに対して、Ｓ２２１において決定された閾値設定用テーブル１０４ｃにおいて対応付けられている警告用閾値および点検修理用閾値を、以後の処理において使用する閾値として設定する（Ｓ２２６）。
【０１２４】
次いで、破損状態通知部１０５ａは、潤滑油劣化センサー６０のＲＧＢセンサー７３の検出結果、すなわち、潤滑油４０ａの色をネットワーク通信部１０３を介して取得し、取得した色の黒色に対する色差ΔＥを上述した数１で示す式で計算して取得する（Ｓ２２７）。
【０１２５】
次いで、破損状態通知部１０５ａは、Ｓ２２７において取得した色差ΔＥがＳ２２６において設定した警告用閾値以下であるか否かを判断する（Ｓ２２８）。
【０１２６】
破損状態通知部１０５ａは、Ｓ２２７において取得した色差ΔＥがＳ２２６において設定した警告用閾値以下ではないとＳ２２８において判断すると、再びＳ２２２の処理に戻る。
【０１２７】
一方、破損状態通知部１０５ａは、Ｓ２２７において取得した色差ΔＥがＳ２２６において設定した警告用閾値以下であるとＳ２２８において判断すると、Ｓ２２７において取得した色差ΔＥがＳ２２６において設定した点検修理用閾値以下であるか否かを判断する（Ｓ２２９）。
【０１２８】
破損状態通知部１０５ａは、Ｓ２２７において取得した色差ΔＥがＳ２２６において設定した点検修理用閾値以下ではないとＳ２２９において判断すると、図１６（ｂ）に示すように、減速機４０が破損している可能性があることを警告する通知を、減速機４０の破損の状態の通知として表示部１０２に表示する（Ｓ２３０）。すなわち、破損状態通知部１０５ａは、ＲＧＢセンサー７３によって検出された色と黒色との色差ΔＥが警告用閾値に達した場合に、警告用閾値に対応する減速機４０の破損の状態を通知する。制御部１０５は、Ｓ２３０の処理の後、再びＳ２２２の処理に戻る。
【０１２９】
一方、破損状態通知部１０５ａは、Ｓ２２７において取得した色差ΔＥがＳ２２６において設定した点検修理用閾値以下であるとＳ２２９において判断すると、図１６（ｃ）に示すように、利用者に減速機４０の点検または修理を促す通知を、減速機４０の破損の状態の通知として表示部１０２に表示する（Ｓ２３１）。すなわち、破損状態通知部１０５ａは、ＲＧＢセンサー７３によって検出された色と黒色との色差ΔＥが点検修理用閾値に達した場合に、点検修理用閾値に対応する減速機４０の破損の状態を通知する。制御部１０５は、Ｓ２３１の処理の後、再びＳ２２２の処理に戻る。
【０１３０】
以上に説明したように、減速機破損状態通知装置１００は、潤滑油４０ａの温度（Ｓ２２２）および油封入比率（Ｓ２０９）に応じて警告用閾値および点検修理用閾値を設定する（Ｓ２２６）ので、減速機４０の使用条件として潤滑油４０ａの温度および油封入比率が異なる場合であっても、減速機４０の破損の状態を精度良く通知することができる。なお、減速機破損状態通知装置１００は、潤滑油４０ａの温度および油封入比率の何れか一方に応じた警告用閾値および点検修理用閾値の設定を行わないようになっている場合であっても、潤滑油４０ａの温度および油封入比率に応じて警告用閾値および点検修理用閾値を設定する構成と比較すると精度が低下するものの、減速機４０の破損の状態を精度良く通知することができる。
【０１３１】
減速機破損状態通知装置１００は、温度センサー７６によって検出された潤滑油４０ａの実際の温度（Ｓ２２２）に応じて警告用閾値および点検修理用閾値を設定する（Ｓ２２６）ので、減速機４０の破損の状態を潤滑油４０ａの実際の温度に応じて精度良く通知することができる。なお、減速機破損状態通知装置１００は、温度センサー７６によって検出された潤滑油４０ａの温度以外の潤滑油４０ａの温度に応じて警告用閾値および点検修理用閾値を設定するようになっていても良い。例えば、減速機破損状態通知装置１００は、操作部１０１を介して利用者から入力された潤滑油４０ａの温度に応じて警告用閾値および点検修理用閾値を設定するようになっていても良い。
【０１３２】
減速機破損状態通知装置１００は、所定の期間の潤滑油４０ａの実際の温度の平均値（Ｓ２２２およびＳ２２３）に応じて警告用閾値および点検修理用閾値を設定する（Ｓ２２６）ので、潤滑油４０ａの温度が一時的に急激に変化した場合に減速機４０の破損の状態を誤って通知することを防止することができる。なお、減速機破損状態通知装置１００は、Ｓ２２６において使用する潤滑油４０ａの温度として、所定の期間の潤滑油４０ａの実際の温度の平均値ではなく、直前のＳ２２２において取得した潤滑油４０ａの実際の温度のみを採用するようになっていても良い。
【０１３３】
潤滑油４０ａが新しいものに交換された直後の場合など、減速機４０が実際には破損に近付いているとき、または、既に破損しているときであっても潤滑油４０ａの劣化が直ぐには生じ難い場合がある。潤滑油４０ａの劣化が生じていなければ、ＲＧＢセンサー７３によって検出された色と黒色との色差ΔＥは警告用閾値および点検修理用閾値に達しない。しかしながら、減速機４０が実際には破損に近付いているとき、または、既に破損しているときには、減速機４０が激しく発熱するので、潤滑油４０ａの温度が急激に上昇する。減速機破損状態通知装置１００は、所定の期間の潤滑油４０ａの実際の温度の平均値（Ｓ２２２およびＳ２２３）の上昇量が所定の値以上である場合（Ｓ２２４でＹＥＳ）に減速機４０の破損の状態を通知する（Ｓ２２５）ので、減速機４０が実際には破損に近付いているとき、または、既に破損しているときにＲＧＢセンサー７３によって検出された色と黒色との色差ΔＥが警告用閾値および点検修理用閾値に達しない場合であっても、減速機４０の破損の状態を適切に通知することができる。なお、減速機破損状態通知装置１００は、Ｓ２２４およびＳ２２５の処理を実行せずに、Ｓ２２３の処理の後、直ぐにＳ２２６の処理を実行するようになっていても良い。
【０１３４】
温度センサー７６は、ホルダー６３ａを介して潤滑油４０ａの温度を検出するようになっているが、ホルダー６３ａなどの他の部材を介さずに潤滑油４０ａの温度を直接検出するようになっていても良い。
【０１３５】
減速機破損状態通知機能付機械システム１０は、温度センサー７６が潤滑油劣化センサー６０に内蔵されているので、温度センサー７６が潤滑油劣化センサー６０とは別に設けられている構成と比較して、容易に構築されることができる。なお、減速機破損状態通知機能付機械システム１０は、温度センサー７６が潤滑油劣化センサー６０とは別に設けられていても良い。
【０１３６】
減速機４０の破損の状態と、潤滑油４０ａの劣化の状態との関係は、油封入比率だけでなく、減速機４０の定格トルクによっても変化する。そして、減速機４０の定格トルクは、減速機４０の型式に応じて定まっている。閾値設定部１０５ｂは、減速機型式受付部１０５ｆによって入力が受け付けられた減速機４０の型式に更に応じた警告用閾値および点検修理用閾値を設定する（Ｓ２２１）ので、減速機４０の定格トルクが異なる場合であっても、減速機４０の破損の状態を精度良く通知することができる。また、油封入比率受付部１０５ｅは、減速機型式受付部１０５ｆによって入力が受け付けられた減速機４０の型式（Ｓ２０４）に対応して記憶部１０４に記憶されている減速機内油収納空間３０ａの容積と、潤滑油量受付部１０５ｇによって入力が受け付けられた潤滑油４０ａの量（Ｓ２０８）とに基づいて油封入比率を算出する（Ｓ２０９）ことによって、間接的に油封入比率の入力を受け付けることができる。したがって、減速機破損状態通知装置１００は、潤滑油４０ａの量と、減速機４０の型式とが入力されるだけで、警告用閾値および点検修理用閾値を油封入比率および減速機４０の型式に応じて設定することができる。
【０１３７】
なお、油封入比率受付部１０５ｅは、減速機内油収納空間３０ａの容積が操作部１０１から直接入力されるようになっている場合、直接入力が受け付けられた減速機内油収納空間３０ａの容積と、潤滑油量受付部１０５ｇによって入力が受け付けられた潤滑油４０ａの量とに基づいて油封入比率を算出することによって、間接的に油封入比率の入力を受け付けるようになっていても良い。また、油封入比率受付部１０５ｅは、油封入比率自体が操作部１０１から直接入力されるようになっていても良い。
【０１３８】
また、減速機破損状態通知装置１００は、減速機４０の型式に応じた警告用閾値および点検修理用閾値の設定を行わないようになっていても良い。
【０１３９】
図１７（ａ）は、関節部内油収納空間３０の容積、減速機内油収納空間３０ａの容積、潤滑油４０ａの量がそれぞれ２００ｍｌ、１５０ｍｌ、１２０ｍｌである場合の関節部３２の模式図である。図１７（ｂ）は、関節部内油収納空間３０の容積、減速機内油収納空間３０ａの容積、潤滑油４０ａの量がそれぞれ３００ｍｌ、１５０ｍｌ、１２０ｍｌである場合の関節部３２の模式図である。
【０１４０】
図１７（ａ）に示す関節部３２の油封入比率と、図１７（ｂ）に示す関節部３２の油封入比率とは、潤滑油４０ａの量である１２０ｍｌと、減速機内油収納空間３０ａの容積である１５０ｍｌとの比であり、共に８０％である。しかしながら、図１７（ａ）に示す関節部３２と、図１７（ｂ）に示す関節部３２とでは、油封入比率が同じであるものの、関節部内油収納空間３０の容積に違いがあるので、減速機４０内に実際に存在する潤滑油４０ａの量に違いがある。したがって、図１７（ａ）に示す関節部３２と、図１７（ｂ）に示す関節部３２とでは、減速機４０の破損の状態と、潤滑油４０ａの劣化の状態との関係に違いが生じる。しかしながら、減速機破損状態通知装置１００は、関節部内油収納空間３０の容積に応じて警告用閾値および点検修理用閾値を設定する（Ｓ２２１）ので、減速機４０の使用条件として関節部内油収納空間３０の容積が異なる場合であっても、減速機４０の破損の状態を精度良く通知することができる。なお、減速機破損状態通知装置１００は、関節部内油収納空間３０の容積に応じた警告用閾値および点検修理用閾値の設定を行わないようになっていても良い。
【０１４１】
減速機破損状態通知装置１００は、減速機４０の破損の状態を通知するための閾値として、減速機４０の破損の可能性に対応した２段階の閾値、すなわち、警告用閾値および点検修理用閾値を含んでいるので、減速機４０の破損の状態を減速機４０の破損の可能性として２段階で通知することができる（Ｓ２３０、Ｓ２３１）。利用者は、減速機４０の破損の状態が減速機４０の破損の可能性として複数段階で通知される場合、例えば、減速機４０が破損している可能性が非常に高いことが突然通知される構成と比較して、余裕を持って減速機４０の交換の必要性を判断することができる。なお、減速機破損状態通知装置１００は、減速機４０の破損の状態を通知するための閾値が１つの閾値のみであっても良いし、減速機４０の破損の状態を通知するための閾値として、減速機４０の破損の可能性に対応した３段階以上の閾値を含んでいても良い。
【０１４２】
減速機破損状態通知装置１００は、本実施の形態において表示による通知を実行するようになっているが、表示に加えて、または、表示に代えて、例えば音声出力など、表示以外の方法による通知を実行するようになっていても良い。
【０１４３】
本発明の減速機破損状態通知装置は、本実施の形態において減速機破損状態通知プログラムを実行するＰＣであるが、他の構成によって実現されても良い。例えば、本発明の減速機破損状態通知装置は、産業用ロボット２０の動作を制御するコントロールパネルによって実現されても良いし、複数の産業用ロボット２０の動作を管理するコンピューターによって実現されても良い。
【０１４４】
本発明の機械は、本実施の形態において産業用ロボットであるが、産業用ロボット以外の機械であっても良い。
【符号の説明】
【０１４５】
１０  減速機破損状態通知機能付機械システム
２０  産業用ロボット（機械）
３０  関節部内油収納空間（油収納空間）
３０ａ  減速機内油収納空間
４０  減速機
４０ａ  潤滑油
６０  潤滑油劣化センサー
６２  隙間形成部材
６２ａ  油用隙間
７２  白色ＬＥＤ（発光素子）
７２ａ  光路
７３  ＲＧＢセンサー（カラー受光素子）
７６  温度センサー（潤滑油温度センサー）
１００  減速機破損状態通知装置
１０４  記憶部（型式容積対応記憶部）
１０４ａ  減速機破損状態通知プログラム
１０５ａ  破損状態通知部（破損状態通知手段）
１０５ｂ  閾値設定部（閾値設定手段）
１０５ｃ  潤滑油温度受付部（潤滑油温度受付手段）
１０５ｄ  関節部内油収納空間受付部（油収納空間受付手段）
１０５ｅ  油封入比率受付部（油封入比率受付手段）
１０５ｆ  減速機型式受付部（減速機型式受付手段）
１０５ｇ  潤滑油量受付部（潤滑油量受付手段）
【図１】
0005860739.tif 000003
【図２】
0005860739.tif 000004
【図３】
0005860739.tif 000005
【図４】
0005860739.tif 000006
【図５】
0005860739.tif 000007
【図６】
0005860739.tif 000008
【図７】
0005860739.tif 000009
【図８】
0005860739.tif 000010
【図９】
0005860739.tif 000011
【図１０】
0005860739.tif 000012
【図１１】
0005860739.tif 000013
【図１２】
0005860739.tif 000014
【図１３】
0005860739.tif 000015
【図１４】
0005860739.tif 000016
【図１５】
0005860739.tif 000017
【図１６】
0005860739.tif 000018
【図１７】
0005860739.tif 000019